(57)【要約】      （修正有）【課題】尿の周囲への飛散防止とともに、少ない水量で効率的な洗浄ができる男子用水洗小便器を提供する。【解決手段】前方が開口された長円筒形の立ち壁部１２と、該立ち壁部の下方位置に人間の立位姿勢の放尿高さ位置の水平方向に延出させて形成し、内部に小便小僧２１等の立体的人造装飾物を設けてなる尿の受け部１４と、受け部の尿を水洗して排水する水洗機構１６とにより男子用水洗小便器１０を構成する。さらに、前記立ち壁部の上部に立体的人造装飾物の前面に向けて放水する水洗機構の上部水出口２５を設ける。また、前記尿の受け部は、水洗機構の排水口１１ａに向けてなだらかに傾斜する窪みに形成する。【選択図】図２
0003170105.tif 000002
【実用新案登録請求の範囲】
【請求項１】
前方が開口された長円筒形の立ち壁部と、該立ち壁部の下方位置に人間の立位姿勢の放尿高さ位置の水平方向に延出されて形成され、内部に立体的人造装飾物を設けてなる小水の受け部と、受け部の小水を水洗して排水する水洗機構とから構成された男子用水洗小便器において、前記立ち壁部の上部に立体的人造装飾物の前面に向けて水を放水する水洗機構の上部水出口を設けたことを特徴とする男子用水洗小便器。
【請求項２】
前記小水の受け部は、水洗機構の排水口に向けてなだらかに傾斜する窪みに形成されていることを特徴とする請求項１記載の男子用水洗小便器。
【考案の詳細な説明】
【技術分野】
【０００１】
本考案は、男子用水洗小便器であり、尿の周囲への飛散防止とともに、少ない水量で効率的な洗浄ができる男子用水洗小便器に関するものである。
【背景技術】
【０００２】
本考案者は、尿の飛散防止をより確実に実現することができる男子用水洗小便器を考案した（実用新案登録第３１２８３１７号）。
この男子用水洗小便器は、前方が開口された立ち壁部と、該立ち壁部の下方位置で該立ち壁部から水平方向に延出され、上方が開口された受け部と、水洗機構とを有する男子小便器において、該受け部を立位姿勢の放尿高さ位置に設けるとともに、該受け部内部に立体的人造装飾物を設けてなるものである。
この考案は、受け部が立位姿勢の放尿高さ位置に設けるられているばかりでなく、立体的人造装飾物が放尿のターゲットともなるので、尿の飛散をより確実に防止することができるものである。
また、この考案は、受け部のみを洗浄するものであり、従来のような尿が落下する立ち壁部を含めて広範囲を洗浄する必要がなく、洗浄を必要とする受け部のみを効率的に洗浄することができるので、水の消費量が減少して節水することができるものである。
本考案は、この考案をより一層改良するために創案されたものであって、尿の飛散をさらに確実に防止するとともに、立体的人造装飾物の洗浄もかねてより一層の効率的な洗浄ができる。
【先行技術文献】
【特許文献】
【０００３】
【特許文献１】実用新案登録３１２８３１７号公報
【考案の概要】
【考案が解決しようとする課題】
【０００４】
解決しようとする問題点は、尿の飛散をさらに確実に防止するとともに、立体的人造装飾物の洗浄もかねてより一層節水できる点である。
【課題を解決するための手段】
【０００５】
本考案は、前方が開口された長円筒形の立ち壁部と、該立ち壁部の下方位置に人間の立位姿勢の放尿高さ位置の水平方向に延出されて形成され、内部に立体的人造装飾物を設けてなる尿の受け部と、受け部の尿を水洗して排水する水洗機構とから構成された男子用水洗小便器において、前記立ち壁部の上部に立体的人造装飾物の前面に向けて放水する水洗機構の上部水出口を設けたことを特徴とする。
また、前記尿の受け部は、水洗機構の排水口に向けてなだらかに傾斜する窪みに形成されていることを特徴とする。
【考案の効果】
【０００６】
本考案の男子用水洗小便器は、放尿者が受け部内部に設けられた立体的人造装飾物に向けて放尿するため、主として立体的人造装飾物周囲が汚染することになるが、前記湾曲状の立ち壁部の上部に設けられた水洗機構の上部水出口から立体的人造装飾物の前面に向けて放水されるので、立体的人造装飾物及びその周囲を水洗することができるばかりでなく、放水は立体的人造装飾物及びその周囲のみでよいので、少ない量の水で効率的な水洗を行うことができ節水を図ることができる。
さらに、尿の受け部は、水洗機構の排水口に向けてなだらかに傾斜する窪みに形成されており、尿は受け部内で力を弱められて下方に流れるので、尿の飛散をさらに確実に防止することができる。
【図面の簡単な説明】
【０００７】
【図１】本考案に係る男子小便器の正面図である。
【図２】本考案に係る男子小便器の正面図である。
【図３】本考案に係る男子小便器の平面図である。
【考案を実施するための形態】
【０００８】
本考案に係る男子小便器の実施の形態について図１乃至図３を参照して説明する。
【０００９】
図１乃至図３に示す本考案に係る男子小便器１０は、前方が開口された立ち壁部１２と、立ち壁部１２の下方の、利用者の立位姿勢の放尿高さ位置に設けられるとともに立ち壁部１２から水平方向に延出され、上方が開口された尿の受け部１４と、水洗機構１６とを有する。男子小便器１０は、排水管１１が収容される支持柱１８によって自立した構造となっている。排水管１１は受け部１４の水受面１５に設けられた排水口１１ａから支持柱１８下部の地下に埋設された排水槽１３に連通されている。ただし、これに限らず、男子用水洗小便器１０を建造物等の壁面に接して設けて、壁面で男子用水洗小便器１０を支持する構造であってもよい。
【００１０】
男子用水洗小便器１０は、さらに、受け部１４の内部に、例えば水盤上に配置される草花の像２０が設けられる。ただし、これに限らず、本考案の課題を達成できるものであれば、例えば玩具模型等の適宜の形状の立体的人造装飾物であってもよい。これらの立体的人造装飾物は、例えば彩色を施した陶器製であってもよく、あるいはまた、樹脂や金属等の適宜の材料で形成したものであってもよい。立体的人造装飾物に彩色を施すとき、例えば、感温塗料を用いて、温度によって色が変わるようにしておいてもよい。また、男子小便器１０の立ち壁部１２の前方、受け部１４の上方には、小便小僧の像２１が設けられる。
【００１１】
上記立ち壁部１２の上部には、水洗機構１６の水出口２５が設けられている。水出口２５は、立ち壁部１２の上記小便小僧の像２１の前面頭部に向けて上部の左右両端位置に設けられており、小便小僧の像２１の前面に向けて放水Ｗするようになっている。この水出口２５は実施例では左右両端に２個ずつ設けられているが、適宜数を増減調整する。
上記水出口２５は、立ち壁１２内に配管された水洗機構１６の水供給配管２６に連通接続されており、水供給配管２６は適宜位置から水道管等水供給設備に連通接続されている。
【００１２】
なお、男子用水洗小便器１０を利用した後、男子用水洗小便器１０の内部を洗浄するために水洗機構１６を動作させる方式としては、適宜のものを採用することができ、例えば、センサ駆動型であってもよく、また、押しボタン駆動型であってもよい。
センサ駆動型の場合のセンサは、小便小僧の像２１の前面等適宜位置に設けるが、放尿者と対面する小便小僧の像２１の前面が好ましい。
【００１３】
また、上記受け部１４の水受面１５は排水管１１の排水口１１ａに向けてなだらかに傾斜形成されている。
【００１４】
本考案に係る男子用水洗小便器１０は、受け部１２を立位姿勢の放尿高さ位置に設けられるため、受け部を立位姿勢の足の高さ位置に設ける従来のものと比べて、尿の飛散をより確実に防止することができる。そして、このとき、受け部１２の内部に立体的人造装飾物として草花の像２０を設けるため、意匠性に優れ、立位姿勢の放尿高さ位置に通常の受け部を設けたときに生じうる、例えば圧迫感等の違和感を緩和し、さらには親近感をも得ることもできる。また、さらには、立体的人造装飾物が放尿のターゲットともなり、尿の飛散をより確実に防止することができる。
【００１５】
また、放尿者は、小便小僧の像２１に向けて放尿することにより、小便小僧の像２１及びその周囲の受け部１４の位置が特に汚れることになるが、水洗機構１６の水出口２５は立ち壁部１２の上部に設けられており、水出口２５からの洗浄水は、小便小僧の像２１の前面頭部に向けて放水Ｗされ、放水された洗浄水は小便小僧の像２１を上部から下部に流れるので、小便小僧の像２１及びその周囲の受け部１４の位置を効率的に洗浄することができ、従来のような尿が落下する立ち壁部１２を含めて広範囲を洗浄する必要のない小便器において、洗浄を必要とする受け部１４及び小便小僧の像２１のみを効率的に洗浄することができる。
【００１６】
さらに、小水の受け部１４の水受面１５は、排水管１１の排水口１１ａに向けてなだらかに傾斜する窪みに形成されており、尿は受け部内１４の水受面１５で力を弱められて下方に流れるので、尿の飛散をさらに確実に防止することができる
【産業上の利用可能性】
【００１７】
常に洗浄が十分に行われ清潔な状態を保つことができるので、立体的人造装飾物が便器使用者の興味を誘うことと併せて楽しみながら放尿できる場所を提供できる。
【符号の説明】
【００１８】
１０     男子用水洗小便器
１１     排水管
１１ａ   排水口
１２     立ち壁部
１４     受け部
１５     水受面
１６     水洗機構
１８     支持柱
２０     草花の像
２１     小便小僧の像
２５     水出口
２６     水供給配管
【図１】
0003170105.tif 000003
【図２】
0003170105.tif 000004
【図３】
0003170105.tif 000005